(57)【要約】【課題】従来のＤ端子ケーブルは横幅が広く且つＤ端子コネクタとケーブルが分離できなかったためＡＶラックの配線用穴に通しにくかった。【課題を解決するための手段】Ｄ端子コネクタとケーブルを分離し、そのＤ端子コネクタの背面側と前記ケーブルの一端に互いに脱着可能な中継コネクタを設け、それら中継コネクタの脱着によりＤ端子コネクタとケーブルを脱着自在とした。これにより、ケーブルを分離したＤ端子コネクタを電子機器のコネクタに接続しておき、その電子機器の中継コネクタをＡＶラックの配線用穴に臨ませるか配線用穴の外まで突出させ、その中継コネクタに配線用穴の外からケーブルの中継コネクタを連結できるようにした。【選択図】      図１
2007207504.tif 000002
【特許請求の範囲】
【請求項１】
前面に電気機器に脱着可能な端子部（１）を備えたＤ端子コネクタ（２）にケーブル（３）が接続されたＤ端子ケーブルであって、Ｄ端子コネクタ（２）とケーブル（３）が分離され、Ｄ端子コネクタ（２）の前記端子部（１）の背面側と前記ケーブル（３）の一端に互いに脱着可能な中継コネクタ（４、５）が設けられ、それら中継コネクタ（４、５）の脱着により前記Ｄ端子コネクタ（２）とケーブル（３）が脱着自在であることを特徴とするコネクタ・ケーブル分離型Ｄ端子ケーブル。
【請求項２】
請求項１記載のコネクタ・ケーブル分離型Ｄ端子ケーブルにおいて、Ｄ端子コネクタ（２）とケーブル（３）の双方又は一方に、中継コネクタ（４、５）の離脱を防止する連結具（６）を備えたことを特徴とするコネクタ・ケーブル分離型Ｄ端子ケーブル。
【請求項３】
請求項１記載のコネクタ・ケーブル分離型Ｄ端子ケーブルにおいて、Ｄ端子コネクタ（２）の中継コネクタ（４）とケーブル（３）の中継コネクタ（５）の双方又は一方に、中継コネクタ（４、５）の離脱を防止する連結具（６）を備えたことを特徴とするコネクタ・ケーブル分離型Ｄ端子ケーブル。
【発明の詳細な説明】
【技術分野】
【０００１】
本発明は電子機器の接続、例えば、テレビチューナー等の映像機器とモニターテレビを接続するためのコネクタ・ケーブル分離型Ｄ端子ケーブルに関するものである。
【背景技術】
【０００２】
従来のＤ端子ケーブルＫは図６に示すように、端子部１を備えたＤ端子コネクタ２の表面を被覆する樹脂製カバーと、ケーブル３の表面を被覆する樹脂製カバーとが一体成型されているためＤ端子コネクタ２とケーブル３は分離できなかった。Ｄ端子コネクタ２は小さいものでも２５ｍｍ程度もあり、丸形のコンポーネント映像端子Ｉに比して横幅が広い。
【発明の開示】
【発明が解決しようとする課題】
【０００３】
従来のＤ端子ケーブルＫは次のような課題があった。
（１）例えばテレビチューナーとモニターテレビ（以下、「電子機器」という）を従来のＤ端子ケーブルＫで接続する場合、通常は図６のようにＤ端子ケーブルＫの端子部１をＡＶラックＥの背面外側からＡＶラックＥの配線用穴Ｆを通して電子機器ＧのコネクタＨに接続していた。この場合、Ｄ端子コネクタ２の横幅が前記のとおり広いためＤ端子コネクタ２を配線用穴Ｆに通しにくかった。ＡＶラックＥの配線用穴Ｆには多くのケーブルを通すことがあるためその場合は特に接続しにくかった。
（２）前記面倒をなくすためにＤ端子コネクタ２を先に電子機器ＧのコネクタＨに接続してから、Ｄ端子コネクタ２に接続されているケーブル３を前記配線用穴Ｆを通して外に引き出す方法もあったが、その場合は、Ｄ端子コネクタ２とケーブル３が分離できず、しかもケーブル３が長いため前記引き出しが非常に面倒であった。
【課題を解決するための手段】
【０００４】
本件出願のコネクタ・ケーブル分離型Ｄ端子ケーブルは、請求項１記載のように、前面に電気機器に脱着可能な端子部を備えたＤ端子コネクタにケーブルが一体化されて接続されたＤ端子ケーブルにおいて、前記Ｄ端子コネクタとケーブルを分離し、Ｄ端子コネクタの前記端子部の背面と前記ケーブルの一端に互いに脱着可能な中継コネクタを設け、それら中継コネクタの脱着により前記Ｄ端子コネクタとケーブルを脱着自在とすることにより図２に示すように使用できるようにした。図２はケーブル３を分離したＤ端子コネクタ２を電子機器ＧのコネクタＨに接続しておき、その電子機器ＧをＡＶラックＥ内に収容してＤ端子コネクタ２の中継コネクタ４をＡＶラックＥの配線用穴Ｆに臨ませるか配線用穴Ｆの外まで突出させておき、その中継コネクタ４に前記配線用穴Ｆの外からケーブル３の中継コネクタ５を連結できるようにした。
【０００５】
本件出願のコネクタ・ケーブル分離型Ｄ端子ケーブルは、請求項２記載のように、請求項１記載のコネクタ・ケーブル分離型Ｄ端子ケーブルにおいて、Ｄ端子コネクタとケーブルの双方又は一方に両中継コネクタの離脱を防止する連結具６（図１）を設けることにより、連結具６により両中継コネクタの接続を確実に保持できるようにした。
【０００６】
本件出願のコネクタ・ケーブル分離型Ｄ端子ケーブルは、請求項３記載のように、請求項１記載のコネクタ・ケーブル分離型Ｄ端子ケーブルにおいて、Ｄ端子コネクタの中継コネクタとケーブルの中継コネクタの双方又は一方に、両中継コネクタの離脱を防止する連結具６（図１）を設けることにより、連結具６により両中継コネクタの接続を確実に保持できるようにした。
【発明の効果】
【０００７】
本件出願の請求項１〜請求項３記載のコネクタ・ケーブル分離型Ｄ端子ケーブルは次の効果がある。
（１）Ｄ端子コネクタとケーブルを分離してあるため電子機器へのＤ端子コネクタの接続が容易になる。
（２）Ｄ端子コネクタとケーブルの夫々に互いに脱着可能な中継コネクタを設けたため、Ｄ端子コネクタとケーブルの脱着が容易になる。
（３）Ｄ端子コネクタがＡＶラック等の配線用の穴に通りにくい場合或は通らない場合であっても、Ｄ端子コネクタをケーブルから分離してＡＶラック内の電子機器のコネクタに容易に接続することができる。
【０００８】
本発明のうち請求項２及び３に記載のコネクタ・ケーブル分離型Ｄ端子ケーブルは、Ｄ端子コネクタとケーブルとの連結を確保する連結具、又はＤ端子コネクタの中継コネクタとケーブルの中継コネクタとの連結を確保する連結具が設けられているので、前記効果の他に、Ｄ端子コネクタとケーブルの離脱を確実に防止できるという効果もある。
【発明を実施するための最良の形態】
【０００９】
（実施形態１）
本発明のコネクタ・ケーブル分離型Ｄ端子ケーブルの一実施例を図１、図２に基づいて説明する。この実施形態のコネクタ・ケーブル分離型Ｄ端子ケーブルは、前面に電子機器Ｇに脱着可能な端子部１を備えたＤ端子コネクタ２とケーブル３が分離され、Ｄ端子コネクタ２に連結具６が連結されている場合である。
【００１０】
前記Ｄ端子コネクタ２は前面に電気機器Ｇに脱着可能な端子部１を備えており、それと反対側に中継コネクタ４が設けられている。端子部１は既存のＤ端子コネクタの端子部と同様に数本の接続ピン（接続端子）が横一列或は二列以上に配列されている。中継コネクタ４はＤ端子コネクタ２の端子部１と反対側の背面２ａ側に突設されている。
【００１１】
前記ケーブル３は丸形であり、その先端（接続端）に丸形の中継コネクタ５を備えている。この中継コネクタ５はＤ端子コネクタ２の前記中継コネクタ４に脱着可能な形状、寸法である。中継コネクタ４と５は一方が雄型、他方が雌型であり、雄型の中継コネクタ４を雌型の中継コネクタ５に圧入することにより連結（接続）可能であり、一方の中継コネクタ４または５を他方の中継コネクタ５または４から引抜くことにより離脱可能な構造にしてある。
【００１２】
前記連結具６は下方に開口部７を有するリング状に形成されており、その開口部７はケーブル３の中継コネクタ５側の首の部分３ａに被せることができるサイズにしてある。この連結具６は金属板を折り曲げ加工により形成したり、樹脂成型したりして製造することができる。連結具６は中継コネクタ４の根元に紐、線材、鎖、伸縮可能なコード等の長尺材８で繋がれている。長尺材８は金属製、樹脂製といった任意の材質製とすることができる。
【００１３】
（実施形態２）
実施形態１では連結具６によりケーブル３をＤ端子コネクタ２に連結するようにした例であるが、本願発明のコネクタ・ケーブル分離型Ｄ端子ケーブルでは連結具６により中継コネクタ４、５を連結することもできる。この場合の連結具６は連結された中継コネクタ４、５の外周に被せてワンタッチ操作で中継コネクタ４、５を固定できる構造のものをはじめとする任意の形状、構造のものを使用することができる。また、連結具６はＤ端子コネクタ２やケーブル３に繋がずに、それらから分離しているものであってもよい。連結具６の素材は鉄製、銅製、アルミ製、プラスチック製、弾性のあるゴム製といった任意の材質製とすることができる。連結具６の形状、サイズ等はケーブル３の外周や中継コネクタ４，５の外周に被せることができるように、ケーブル３や中継コネクタ４，５の外周の形状やサイズに合わせるのがよい。
【００１４】
（実施形態３）
実施形態１のコネクタ・ケーブル分離型Ｄ端子ケーブルでは、連結具６が設けられている（図１）が、この連結具６は必ずしも必要ではない。
【００１５】
（実施形態４）
本願発明のコネクタ・ケーブル分離型Ｄ端子ケーブルは、図３（ａ）〜（ｃ）のようにＤ端子コネクタ２が固定部９に可動部１０が連結部１１から図３（ｂ）のＸ‐Ｙ方向（上下方向）に回動可能に連結されたものであってもよい。この場合は、可動部１０の背面に中継コネクタ５と脱着可能な中継コネクタ４が設けられている。
【００１６】
（実施形態５）
本願発明のコネクタ・ケーブル分離型Ｄ端子ケーブルは、図４のように中継コネクタ５の接続部１２を側面に設けて、それを中継コネクタ４に脱着することもできる。
【００１７】
（実施形態６）
本発明のコネクタ・ケーブル分離型Ｄ端子ケーブルは、図５のようにケーブル３の他端が影像端子Ｉの場合であってもよい。
【図面の簡単な説明】
【００１８】
【図１】本発明のコネクタ・ケーブル分離型Ｄ端子ケーブルの一例を示す斜視図。
【図２】図１に示すコネクタ・ケーブル分離型Ｄ端子ケーブルの一使用例を示す一部切断の側面図。
【図３】（ａ）〜（ｃ）は本発明のＤ端子コネクタの他の例を示すもので、（ａ）は可動部が横向きの状態の側面図、（ｂ）は可動部を下方途中まで回動させた状態の側面図、（ｃ）は可動部を９０度下方まで回動させた状態の側面図。
【図４】本発明のコネクタ・ケーブル分離型Ｄ端子ケーブルの一例であって、ケーブルが中継コネクタの側方に延びている場合の平面図。
【図５】本発明のコネクタ・ケーブル分離型Ｄ端子ケーブルの一例であって、ケーブルの両端にＤ端子ケーブルを有するコネクタ・ケーブル分離型Ｄ端子ケーブルの説明図。
【図６】従来のＤ端子ケーブルの使用説明図。
【符号の説明】
【００１９】
１  端子部
２  Ｄ端子コネクタ
２ａ  Ｄ端子コネクタの端子部の反対側背面
３  ケーブル
３ａ  ケーブルの中継コネクタ側首部
４  コネクタ側中継コネクタ
５  ケーブル側中継コネクタ
６  連結具
７  連結具の開口部
８  長尺材
９  固定部
１０  可動部
１１  連結部
１２  接続部
Ｅ  ＡＶラック
Ｆ  ＡＶラックの配線用穴
Ｇ  電子機器
Ｈ  電子機器のコネクタ
Ｉ  映像端子
Ｋ  従来のＤ端子ケーブル
【図１】
2007207504.tif 000003
【図２】
2007207504.tif 000004
【図３】
2007207504.tif 000005
【図４】
2007207504.tif 000006
【図５】
2007207504.tif 000007
【図６】
2007207504.tif 000008